(57)【要約】【課題】  組立性と保管／搬送性を両立する。【解決課題】  折曲可能であって、折曲げることにより筆立てとして組み立つ用紙の表面に、折曲の箇所を表す複数の折線表記と、折線表記に沿った折曲の順序を含む、筆立ての組み立て方法を表す組立表記とを記載する。これにより、組立性と保管／搬送性を両立する筆立てを提供することが可能となる。【選択図】  図２
2005053170.tif 000002
【特許請求の範囲】
【請求項１】
折曲可能であって、折曲げることにより筆立てとして組み立つ用紙を有する筆立組立用用紙であって、
前記用紙の表面に、
前記折曲の箇所を表す複数の折線表記と、
該折線表記に沿った折曲の順序を含む、前記筆立ての組み立て方法を表す組立表記と、
が記載された筆立組立用用紙。
【請求項２】
請求項１に記載の筆立組立用用紙であって、
前記用紙の表面に、透明性を有する被覆を設けたことを特徴とする筆立組立用用紙。
【請求項３】
請求項２に記載の筆立組立用用紙であって、
前記被覆は、UVニスを成分とすることを特徴とする筆立組立用用紙。
【請求項４】
請求項２または３に記載の筆立組立用用紙であって、
前記被覆は、厚さが２μｍ〜４μｍであることを特徴とする筆立組立用用紙。
【請求項５】
請求項１ないし４のいずれかに記載の筆立組立用用紙であって、
前記用紙の表面であって、前記筆立てとして組み立った際に該用紙の裏面と重合する部位に、両面テープを備えたことを特徴とする筆立組立用用紙。
【請求項６】
請求項１ないし５のいずれかに記載の筆立組立用用紙であって、
前記用紙に、該用紙を複数に分離可能とする切り目を設けたことを特徴とする筆立組立用用紙。
【発明の詳細な説明】
【技術分野】
【０００１】
本発明は、折曲可能であって、折曲げることにより筆立てとして組み立つ用紙を有する筆立組立用用紙に関する。
【背景技術】
【０００２】
従来、折り畳み自在な受箱と、該受箱の内壁に密接して挿入される折り畳み自在な筒、中敷板、補強板の４つの部品で構成される筆立てが知られている。
【０００３】
【特許文献１】実開昭６０−１７１３６４号
【０００４】
この筆立てによれば、折り畳まれた受箱と筒を広げ、受箱に中敷板、筒、補強板を順に挿入するだけで筆立てが完成し、組立が簡単である。
【発明の開示】
【発明が解決しようとする課題】
【０００５】
従来の筆立ての欠点は、筆立てを構成する部品が折り畳み式となっているが故に、大量に製造／販売する場合、嵩張るばかりでなく、各部品がバラバラであり、保管／搬送性が悪いことである。すなわち、従来の筆立ては、組立性に偏重し、保管／搬送性が軽視された設計となっており、全体としてのバランスを欠いていた。
【０００６】
本発明の目的は、上記課題に鑑みてなされたものであり、組立性と保管／搬送性を両立することができる筆立てを提供することにある。
【課題を解決するための手段】
【０００７】
上記課題の少なくとも一部を解決するため、請求項１の発明は、折曲可能であって、折曲げることにより筆立てとして組み立つ用紙を有する筆立組立用用紙であって、前記用紙の表面に、前記折曲の箇所を表す複数の折線表記と、該折線表記に沿った折曲の順序を含む、前記筆立ての組み立て方法を表す組立表記と、が記載されている。
【０００８】
請求項１の発明によれば、用紙の形態で保管／搬送を行うため、大量に製造／販売する場合であっても嵩張ることなく、保管／搬送性に優れる。特に、筆立てがノベルティ商品として取引される場合、業者に対しては大量に、業者から使用者に対しては個別に配送されることとなるが、用紙の形態であれば、大量輸送、個別輸送のいずれにも好適である。
【０００９】
また、用紙の表面には、折線表記と組立表記とが記載されている。これにより、使用者は、折曲箇所と組立方法を容易に理解することができる。しかも、折曲や組立には、特別な道具を必要としない。つまり、使用者は素手で簡単に筆立てを完成させることができる。
【００１０】
このように、請求項１の発明によれば、組立性と保管／搬送性を両立した筆立てを提供することができる。
【００１１】
なお、請求項１に記載の筆立組立用用紙において、前記用紙の表面に、前記折線表記および組立表記以外の他の情報を表記してもよい。他の情報とは、完成した筆立てを設置した机やその周辺で作業する際に有用な情報であり、たとえば、カレンダー、店舗に関する広告情報、地図情報などである。
【００１２】
このように、他の情報を表記することとすれば、筆立てとして組み立てられた際、筆立てとしてだけでなく、有用な情報源としても機能し、実用上の価値を一層高めることができる。
【００１３】
請求項２の発明は、請求項１に記載の筆立組立用用紙であって、前記用紙の表面に、透明性を有する被覆を設けたことを特徴とする。
【００１４】
請求項２の発明によれば、透明性を有する被覆が設けられているため、用紙の表面に表記された情報の視認性を損なうことなく、用紙の耐久性を向上させることができる。特に、用紙にカレンダーが表記されている場合、被覆が長期に亘りカレンダーを保護するため、年間を通じて日付を確認することが可能となる。また、用紙に広告情報が表記されている場合、被覆が長期に亘りその広告情報を保護するため、広告効果を一層高めることができる。
【００１５】
また、請求項３の発明は、請求項２に記載の筆立組立用用紙であって、前記被覆は、UVニスを成分とすることを特徴とする。
【００１６】
請求項３の発明によれば、UVニスを被覆の成分としているため、手垢や鉛筆の黒鉛に対し、優れた防汚効果を発揮する。また、表面につやが出て、視覚的効果が向上する。なお、UVニスに抗菌剤を含ませ、抗菌性を発揮するよう構成することもできる。この場合、抗菌剤としては、３０Å程度の銀や銅等の無機系を挙げることができる。
【００１７】
さらに、請求項４の発明は、請求項２または３に記載の筆立組立用用紙であって、前記被覆は、厚さが２μｍ〜４μｍであることを特徴とする。
【００１８】
用紙に施す被覆は、厚すぎると組立性および保管／搬送性を損ない、薄すぎると剥がれる虞があり、いずれも好ましくない。
【００１９】
請求項４の発明によれば、被覆の厚さを２μｍ〜４μｍとしているため、組立性および保管／搬送性を損なうことはなく、かつ剥がれる虞もない。なお、被覆の厚さは、２．６８μｍ〜３．５７μｍであればより好ましく、さらには、３μｍ程度とすることが最も好ましい。
【００２０】
また、請求項５の発明は、請求項１ないし４のいずれかに記載の筆立組立用用紙であって、前記用紙の表面であって、前記筆立てとして組み立った際に該用紙の裏面と重合する部位に、両面テープを備えたことを特徴とする。
【００２１】
請求項５の発明によれば、筆立てとして組み立った際に該用紙の裏面と重合する部位に、予め両面テープを備えられているため、使用者は別途テープ、糊などを用意し、該重合する部位に貼り付ける必要がなく、組立性に優れる。特に、表面がUVニスを成分とする被覆で覆われている場合、市販の糊では接着効果が低いため、特に有効である。
【００２２】
さらに、請求項６の発明は、請求項１ないし５のいずれかに記載の筆立組立用用紙であって、前記用紙に、該用紙を複数に分離可能とする切り目を設けたことを特徴とする。
【００２３】
請求項６の発明によれば、用紙を複数に分離可能とする切り目が設けられているため、使用者は別途はさみ、カッターナイフなどを用意し、切る必要がなく、組立性に優れる。
【発明を実施するための最良の形態】
【００２４】
本発明の実施例について、次の項目に分けて説明する。
１．本発明の実施例に係る筆立組立用用紙の構成
２．筆立ての組立方法
３．筆立ての使用方法
４．実施例の効果
【００２５】
１．本発明の実施例に係る筆立組立用用紙の構成
図１、２は、本発明の実施例に係る筆立組立用用紙１０、２０である。本実施例では、用紙の大きさはA４規格よりもやや大きめのものを用いた。しかし、これに限らず、A３、B４、B５規格程度のものを適宜使用可能である。また、本実施例では、筆立てと用紙の大きさの関係上、２枚の用紙で１つの筆立てが完成する構成となっているが、筆立てと用紙の大きさ次第では、用紙が１枚ですむこともあるし、３枚以上必要となることがあることは、勿論である。
【００２６】
筆立組立用用紙１０、２０のうち、筆立組立用用紙１０は、用紙本体１２と、用紙本体１２から分離可能であって筆立ての構成部品となる側壁部材１４と、用紙本体１２から分離可能であって筆立ての構成部品となる仕切部材１６ａ〜１６ｃから成る。一方、筆立組立用用紙２０は、用紙本体２２と、用紙本体２２から分離可能であって筆立ての構成部品としての底部材２４と、用紙本体２２から分離可能であって筆立ての構成部品となる中敷部材２６から成る。なお、２２ａは、用紙本体上２２に記載された筆立ての組立方法を表す組立表記である。組立表記２２ａは、イラストと文字で構成されており、使用者はこれを見ることにより、筆立ての組み立て方を容易に理解することができる。
【００２７】
筆立組立用用紙１０、２０は、大昭和製紙（株）製のJETエースW（品名）という、厚さ０．４８ｍｍの板紙を基材としている。このため、素手であっても容易に折曲可能である。また、折曲げることにより筆立てとして組み立てることができる。なお、基材の厚さは、これに限らず、０．２７５ｍｍ〜０．７４５ｍｍであればよい。厚すぎても折り曲げることができないし、薄すぎても筆立てとしての強度を確保できないからである。また、基材の材質もこれに限らず、種々のものが適用可能である。
【００２８】
基材の表面には、各種情報が記載されている。まず、筆立組立用用紙１０の右半分には、側壁部材１４が記載されている。太線は、側壁部材１４の外形を示す。太線内は６つの長方形と１つの台形（１４ａで示される箇所）に分かれている。これにより、側壁部材１４を６角柱に形成することができる。６つの長方形には、２００４年度の月別のカレンダーが記載されている。また、筆立組立用用紙１０の左半分には、仕切部材１６ａ〜１６ｃが記載されている。太線は、仕切部材１６ａ〜１６ｃの外形を示す。太線内には、仕切部材１６ａ〜１６ｃの組立て方向を示す記号として、Ａ、Ｂなる文字が記載されている。この記号に従うことにより、３つの仕切部材１６ａ〜１６ｃを正しく組み立てることができる。
【００２９】
一方、筆立組立用用紙２０の左半分には、底部材２４が記載されている。太線は、底部材２４の外形を示す。太線内は６つの正方形と１つの台形（２４ａで示される箇所）および６つの正方形に連接する６つの連接部に分かれている。これにより、底面を有する６角箱を形成することができる。なお、６つの正方形にはマンガ絵や広告情報が、６つの連接部には折り曲げ順序を示す数字として丸１〜丸３が、それぞれ記載されている。基材の表面は、筆立てとして組み立った場合、外部に露出する部分であり、各種情報は、筆立てを使用する際に、有用な情報源となりえるからである。
【００３０】
また、筆立組立用用紙２０の右上半分には、中敷部材２６の外形が太線で記載されている。この中敷部材２６は６角形状を有する。これにより、底部材２４の底の補強、底部材２４および側壁部材１４の６角形の形状保持を図ることができる。さらに、筆立組立用用紙２０の右下半分には、折曲の順序を含む、筆立ての組み立て方法を表す組立表記２２ａが記載されている。これにより、使用者は、容易に筆立ての組み立て方法を理解することができる。
【００３１】
なお、折線表記、組立表記、他の情報は、印刷により基材に定着させる。そのため、これらの情報は、基材の表面に全て記載することとし、表面だけ印刷すれば情報の記載は完了するよう設計されている。裏面の印刷を省略するためである。
【００３２】
印刷は、UVインキを用いた。UVとは紫外線(Uｌtra Violet ray)のことであり、UVインキとは、紫外線を照射することにより硬化乾燥するインキのことである。UV印刷は、瞬間硬化性が良く、印刷直後から後加工にかかれるという利点がある。したがって、本発明の実施例に係る筆立組立用用紙１０、２０を、短期で大量に生産することができる。
【００３３】
また、各種情報が印刷された基材の表面には、透明性を有する被覆が設けられている。基材の表面に印刷された情報の保護のためである。なお、情報は基材の表面のみに印刷されているため、裏面に被覆は不要である。本実施例においては、被覆が長期に亘りカレンダーを保護するため、年間を通じて日付を確認することが可能となる。また、被覆が長期に亘りその広告情報を保護するため、広告効果を一層高めることができる。
【００３４】
また、被覆は、UVニスを成分としている。そのため、特に、手垢や鉛筆の黒鉛に対し、優れた防汚効果を発揮する。なお、UVニスに抗菌剤を含ませ、抗菌性を発揮させるよう構成することもできる。この場合、抗菌剤としては、３０Å程度の銀や銅等の無機系を挙げることができる。
【００３５】
また、被覆の厚さは、３μｍ程度とすることが最も好ましい。厚すぎると組立性および保管／搬送性を損ない、薄すぎると剥がれる虞があり、いずれも好ましくないからである。なお、被覆の厚さは、これに限らず、２μｍ〜４μｍであればよく、より好ましくは、２．６８μｍ〜３．５７μｍであればよい。
【００３６】
さらに、UVニス層の上面であって、筆立てとして組み立った際に該用紙の裏面と重合する部位（具体的には、１４ａ、２４ａ）には、予め両面テープが備えられている。UVニス層に対しては、一般で使用される糊が接着しにくいからである。また、使用者が別途テープを用意し、重合する部位に貼り付ける負担をなくすためである。
【００３７】
なお、UVニス層は、UV印刷機により、無色透明のUVニスが基材の表面に印刷されることにより形成される。このUV印刷機を用いた印刷は、基材の表面に対してのみ行われる。基材の表面が筆立てとして組み立った場合、外側に露出する部分であり、露出部分の防汚が被覆の目的だからである。逆に言えば、基材の裏面は筆立てとして組み立った場合、内側に隠れる部分であり、防汚は不要なのである。
【００３８】
また、筆立組立用用紙１０、２０において、側壁部材１４、仕切部材１６ａ〜１６ｃ、底部材２４、中敷部材２６の外形を示す太線部分には、各部材が用紙本体１２、２２から容易に分離可能とするため、切り目（図示省略）が設けられている。使用者が別途はさみ、カッターナイフなどを用意し、太線に沿って切る負担をなくすためである。また、仕切部材１６ａ〜１６ｃには、切り込み１６ａ１〜１６Ｃ２が形成されている。仕切部材１６ａ〜１６ｃを組立てるためである。
【００３９】
なお、これらの切り目や切り込み１６ａ１〜１６Ｃ２は、基材への印刷、UVニスの塗布が完了したのち、プレス加工により形成される。
【００４０】
２．筆立ての組立方法
図３（ａ）は、仕切部材１６ａ〜１６ｃを用紙本体１２から分離した状態を示す図である。これら仕切部材１６ａ〜１６ｃには、それぞれ切り込み１６ａ１〜１６Ｃ２が形成されており、これらの切り込み１６ａ１〜１６Ｃ２同士をA、Bで示される記号がそろうように組み立てるのである。
【００４１】
図３（ｂ）は、仕切部材１６ａ〜１６ｃの組立て方法を説明するための説明図である。図３（ｂ）において、仕切部材１６ｂと１６ｃとは、既に組み合っている。A、Bの記号もそろっており、組み立てが正しいことを証明している。あとは、図３（ｂ）に示すように、仕切部材１６ａの切り込み１６ａ１と仕切部材１６Cの切り込み１６Ｃ１とが合うように組み合わせれば、仕切部材１６は完成である。
【００４２】
図４（ａ）は、側壁部材１４を用紙本体１２から分離した状態を示す図である。この側壁部材１４において、太線は折線表記であり、使用者はこの折線表記部分を山折りとなるよう折り曲げることになる。そういった意味では、本折線表記は山折線表記である。図４（ａ）に示す側壁部材１４を折線表記に従って山折に折り曲げた状態を示したのが図４（ｂ）である。この図４（ｂ）で示す側壁部材１４の重合部位１４ａに備えられた両面テープを１２月／１月のカレンダーが記載された面の裏側に貼り付ければ、６角柱状の側壁部材１４が完成する。
【００４３】
図５（ａ）は、底部材２４を用紙本体２２から分離した状態を示す図である。この底部材２４において、太線は折線表記であり、この折線表記部分を山折に折り曲げることになる。そういった意味では、本折線表記は山折線表記である。なお、底部材２４において、斜線部分は底部材２４の内壁側へ差し込まれる領域を示している。また、各斜線部分における数字は、底部材２４の内壁側へ差し込む順序を示してる。図５（ａ）に示す底部材２４を、折線表記に従って山折に折り曲げ、重合部位２４ａに備えられた両面テープを広告情報が記載された面の裏側に貼り付ければ、図５（ｂ）に示すような６角柱状の底部材２４ができる。その後、数字丸１〜丸４が示す順に従って折り曲げれば、底面を有する６角箱が完成する（図５（ｃ））。
【００４４】
図６は、筆立ての分解斜視図である。図６に示すように、筆立ては、仕切部材１６、側壁部材１４、中敷部材２６、底部材２４の４つの部材を、矢印が示す方向に順に組み立てることにより完成する。順序は次のとおりである。まず、底部材２４に中敷部材２６を挿入する。この際、底部材２４の６角形状と中敷部材２６の６角形状が一致するよう挿入することが必要である。次に、側壁部材１４を挿入する。この際、底部材２４の６角形状と側壁部材１４の６角形状が一致するよう挿入すること、および目的とする月のカレンダーが記載された側を上として挿入することが必要である。そして、最後に仕切部材１６を挿入する。この際、側壁部材１４の６角形状と仕切部材１６の６角形状が一致するよう挿入する。これで筆立てが完成する。
【００４５】
３．筆立ての使用方法
図７に、完成した筆立ての使用状態を示す。図７に示すように、完成した筆立ては、側壁部材１４の内部が六つの空間に分離されており、それぞれの空間は挿入された鉛筆３０ａ、３０ｂを収容する。筆立ての表面には、カレンダーや広告情報が記載されているため、筆立てとしてだけでなく、有用な情報源としても機能する。また、筆立ての表面は、UVニスを成分とした被覆で覆われているため、手垢や鉛筆の黒鉛に対し、優れた防汚効果を発揮する。また、つやもあり、視覚的効果にも優れる。
【００４６】
４．実施例の効果
このように、発明に係る筆立組立用用紙１０、２０によれば、用紙の形態で保管／搬送を行うため、大量に製造／販売する場合であっても嵩張ることなく、保管／搬送性に優れる。特に、筆立てがノベルティ商品として取引される場合、業者に対しては大量に、業者から使用者に対しては個別に配送されることとなるが、用紙の形態であれば、大量輸送、個別輸送のいずれにも好適である。
【００４７】
また、用紙の表面には、折線表記と組立表記とが記載されている。これにより、使用者は、組立方法を容易に理解することができる。しかも、組立てに際しては、特別な道具を必要とせず、素手で折り曲げるだけで簡単に筆立てを完成させることができる。
【００４８】
また、用紙の表面に、他の情報を表記しているので、筆立てとしてだけでなく、有用な情報源としても機能し、実用上の価値が高い。
【００４９】
さらに、透明性を有する被覆が設けられているため、用紙の表面に表記された情報の視認性を損なうことなく、用紙の耐久性を向上させることができる。
【００５０】
UVニスを被覆の成分としているため、特に、手垢や鉛筆の黒鉛に対し、優れた防汚効果を発揮する。また、表面につやが出て、視覚的効果も向上する。
【００５１】
さらに、被覆の厚さを３μｍとしているため、組立性および保管／搬送性を損なうことはなく、かつ剥がれる虞もない。
【００５２】
また、筆立てとして組み立った際に該用紙の裏面と重合する部位に、予め両面テープを備えられているため、使用者は別途テープ、糊などを用意し、該重合する部位に貼り付ける必要がなく、組立性に優れる。
【００５３】
さらに、用紙を複数に分離可能とする切り目が設けられているため、使用者は別途はさみ、カッターナイフなどを用意する、該当箇所を切る必要がなく、組立性に優れる。
【図面の簡単な説明】
【００５４】
【図１】本発明に係る筆立組立用用紙１０を示す図。
【図２】本発明に係る筆立組立用用紙２０を示す図。
【図３】（ａ）仕切部材１６ａ〜１６ｃを用紙本体１２から分離した状態を示す図、（ｂ）仕切部材１６ａ〜１６ｃの組立て方法を説明するための説明図。
【図４】（ａ）側壁部材１４を用紙本体１２から分離した状態を示す図、（ｂ）側壁部材１４の組立て方法を説明するための説明図。
【図５】（ａ）底部材２４を用紙本体２２から分離した状態を示す図、（ｂ）底部材２４の組立て方法を説明するための説明図、（ｃ）底部材の完成した状態を示す図。
【図６】筆立ての分解斜視図。
【図７】筆立ての使用状態を示す図。
【符号の説明】
【００５５】
１０、２０・・・筆立組立用用紙
１２、２２・・・用紙本体
１４・・・側壁部材
１６ａ〜１６ｃ・・・仕切部材
１６ａ１〜１６ｃ２・・・切り込み
２２ａ・・・組立表記
２４・・・底部材
２６・・・中敷部材
３０ａ、３０ｂ・・・鉛筆
【図１】
2005053170.tif 000003
【図２】
2005053170.tif 000004
【図３】
2005053170.tif 000005
【図４】
2005053170.tif 000006
【図５】
2005053170.tif 000007
【図６】
2005053170.tif 000008
【図７】
2005053170.tif 000009